(57)【要約】【課題】  スピーカーキャビネットからの放射音の音圧レベルをさらに高め、楽器用木質材料の板材の特質を引き出したうえで全体としてまとまった音質を備えたスピーカーキャビネット、並びに、これらのスピーカーキャビネットを用いたスピーカーを提供し、さらに、複数のスピーカーから構成されるスピーカーシステムとする場合であっても、好ましい音声・音場再生が可能なスピーカーシステムを提供する。【解決手段】  本発明のスピーカーキャビネットは、スピーカーユニット取付部を備える表板と、表板に向かって右側面方向の右側板と、表板に向かって左側面方向の左側板と、を備えるスピーカーキャビネットであって、表板が、繊維板もしくはパーティクルボードの板材から構成され、右側板および左側板が、表板よりも板厚の薄い楽器用木質材料の板材から構成される。【選択図】  図１
2006174312.tif 000002
【特許請求の範囲】
【請求項１】
スピーカーユニット取付部を備える表板と、該表板に向かって右側面方向の右側板と、該表板に向かって左側面方向の左側板と、を備えるスピーカーキャビネットであって、
該表板が、繊維板もしくはパーティクルボードの板材から構成され、
該右側板および該左側板が、該表板よりも板厚の薄い楽器用木質材料の板材から構成される、
スピーカーキャビネット。
【請求項２】
前記右側板および前記左側板を構成する板材が、
楽器用木質材料のスプルース、シトカスプルース、イングルマンスプルース、シダー、エゾマツ、ローズウッド、インディアンローズウッド、ブラジリアンローズウッド、ホンジュラスローズウッド、マダガスカルローズウッド、ココボロ、ニューハカランダ、マホガニー、サペリ、ホンジュラスマホガニー、コア、メイプル、ウォルナット、バスウッド、アッシュ、エボニー、セン、アルダー、ブビンガもしくはオバンコールのいずれかから選択される、
請求項１に記載のスピーカーキャビネット。
【請求項３】
前記左側板を構成する板材が、
前記楽器用木質材料のいずれかから選択された右側板の板材と、異なる前記楽器用木質材料から選択される、
請求項２に記載のスピーカーキャビネット。
【請求項４】
請求項１から３のいずれかに記載のスピーカーキャビネットと、前記表板のスピーカーユニット取付部に取り付けられるスピーカーユニットと、
から構成されるスピーカー。
【請求項５】
請求項４に記載の第１スピーカーと、請求項４に記載の第２スピーカーと、を少なくとも含む一組のスピーカーシステムであって、
該第１スピーカーの右側板を構成する板材が、該第２スピーカーの前記左側板の板材と等しく、
該第１スピーカーの左側板を構成する板材が、該第２スピーカーの前記右側板の板材と等しい、
スピーカーシステム。
【発明の詳細な説明】
【技術分野】
【０００１】
本発明は、スピーカーキャビネット、並びに、これらのスピーカーキャビネットを用いたスピーカー、および、これらから構成されるスピーカーシステムに関する。
【背景技術】
【０００２】
スピーカーは、スピーカーキャビネットに取り付けられたスピーカーユニットに音声信号を印加することにより音を再生する。スピーカーシステムは、例えば複数の音声信号チャンネルを有するステレオ音声信号再生またはマルチチャンネルサラウンド音声信号再生の場合には、これらのスピーカーを左右２本一組あるいは５本一組にして構成される。スピーカーでは、印加された音声信号によりスピーカーユニットが駆動されると、スピーカーユニットの駆動の反作用により、スピーカーキャビネットを構成する各面の板材（スピーカーキャビネットを構成するそれぞれの板）が振動し、各面の板から音が放射される。なかでも木質製のスピーカーキャビネットを構成するそれぞれの板は、板を構成する材料、板の幅・厚み等に依存して特定の固有振動数で振動するので、それぞれの板が特有の音色を有する。
【０００３】
スピーカーユニットから再生される音に比べて、スピーカーキャビネットを構成するそれぞれの板から放射される音は音圧レベルが低いが、スピーカー全体の再生音質に与える影響は大きいので、従来から木質製のスピーカーキャビネットを構成する各面の板材の選定もしくは板材の形状等に工夫がなされている。すなわち、スピーカーキャビネットの板材には、多くの場合にはＭＤＦボード（中密度繊維板）と呼ばれる繊維板、もしくはパーティクルボードが使用される一方で、一部の場合には、スプルース、マホガニー、といった楽器用木質材料の板材が用いられることがある。
【０００４】
従来には、スピーカーキャビネットからの放射音がスピーカー全体の再生音質に好ましい影響を与えるようにスピーカーキャビネットを構成するものがある。例えば、スピーカーキャビネットを構成する６つの面から任意に選択した２つの面のピッチ周波数の比が、協和音とみなされる周波数比に相当するように設定するものがある（特許文献１）。また、楽器材料等からなるスピーカーキャビネットの振動を阻害しないように、線接触で保持するようにしたスピーカースタンドを備えるスピーカーがある（特許文献２）。
【０００５】
【特許文献１】特開２００３−２９９１６９号公報  （第１図）
【特許文献２】実開平６−２３３９４号公報  （第１図）
【０００６】
しかしながら、従来技術のスピーカーキャビネット、並びに、これらのスピーカーキャビネットを用いたスピーカー、および、これらから構成されるスピーカーシステムに関しては、再生音質の改善では不十分な点がある。すなわち、スピーカー全体の再生音質に好ましい影響を与えるように、スピーカーキャビネットからの放射音の音圧レベルをさらに高めることが求められている。また、楽器用木質材料の板材を使用する場合であっても、個々の楽器用木質材料の特質を引き出し、さらに全体としてまとまった音質を備えるスピーカーキャビネットとする必要がある。加えて、複数のスピーカーから構成されるスピーカーシステムとする場合には、専ら多く用いられるステレオ音声信号再生またはマルチチャンネルサラウンド音声信号再生の場合に良好な音声・音場再生が可能なスピーカーキャビネットが望ましい。
【発明の開示】
【発明が解決しようとする課題】
【０００７】
本発明は、上記の従来技術が有する問題を解決するためになされたものであり、その目的は、スピーカーキャビネット、並びに、これらのスピーカーキャビネットを用いたスピーカー、および、これらから構成されるスピーカーシステムに関し、スピーカーキャビネットからの放射音の音圧レベルをさらに高め、楽器用木質材料の板材の特質を引き出したうえで全体としてまとまった音質を備えたスピーカーキャビネット、並びに、これらのスピーカーキャビネットを用いたスピーカーを提供し、さらに、複数のスピーカーから構成されるスピーカーシステムとする場合であっても、好ましい音声・音場再生が可能なスピーカーシステムを提供することにある。
【課題を解決するための手段】
【０００８】
本発明のスピーカーキャビネットは、スピーカーユニット取付部を備える表板と、表板に向かって右側面方向の右側板と、表板に向かって左側面方向の左側板と、を備えるスピーカーキャビネットであって、表板が、繊維板もしくはパーティクルボードの板材から構成され、右側板および左側板が、表板よりも板厚の薄い楽器用木質材料の板材から構成される。
【０００９】
好ましくは、本発明のスピーカーキャビネットは、右側板および左側板を構成する板材が、楽器用木質材料のスプルース、シトカスプルース、イングルマンスプルース、シダー、エゾマツ、ローズウッド、インディアンローズウッド、ブラジリアンローズウッド、ホンジュラスローズウッド、マダガスカルローズウッド、ココボロ、ニューハカランダ、マホガニー、サペリ、ホンジュラスマホガニー、コア、メイプル、ウォルナット、バスウッド、アッシュ、エボニー、セン、アルダー、ブビンガもしくはオバンコールのいずれかから選択される。
【００１０】
さらに好ましくは、本発明のスピーカーキャビネットは、左側板を構成する板材が、楽器用木質材料のいずれかから選択された右側板の板材と、異なる楽器用木質材料から選択される。
【００１１】
また、本発明のスピーカーは、上記のいずれかのスピーカーキャビネットと、表板のスピーカーユニット取付部に取り付けられるスピーカーユニットと、から構成される。
【００１２】
また、本発明のスピーカーシステムは、上記の第１スピーカーと、上記の第２スピーカーと、を少なくとも含む一組のスピーカーシステムであって、第１スピーカーの右側板を構成する板材が、第２スピーカーの前記左側板の板材と等しく、第１スピーカーの左側板を構成する板材が、第２スピーカーの前記右側板の板材と等しい。
【００１３】
以下、本発明の作用について説明する。
【００１４】
本発明のスピーカーキャビネットは、繊維板もしくはパーティクルボードの板材から構成される表板に、スピーカーユニットを取り付けるスピーカーユニット取付部を備える。スピーカーユニット取付部は、代表的には、表板にスピーカーユニットのフレームが固着され得て、かつ、磁気回路が収まる孔寸法で設けられた貫通孔からなるスピーカーユニット取付孔であって、振動を発生するスピーカーユニットを強固に固定し、かつ、その重量を支えるために、繊維板もしくはパーティクルボードの板材の板厚は厚く選択される。スピーカーキャビネットは、表板に向かって右側面方向の右側板と、表板に向かって左側面方向の左側板と、を備え、これら右側板および左側板は、表板よりも板厚の薄い楽器用木質材料の板材から構成される。代表的には、右側板および左側板は、楽器用木質材料のスプルース、シトカスプルース、イングルマンスプルース、シダー、エゾマツ、ローズウッド、インディアンローズウッド、ブラジリアンローズウッド、ホンジュラスローズウッド、マダガスカルローズウッド、ココボロ、ニューハカランダ、マホガニー、サペリ、ホンジュラスマホガニー、コア、メイプル、ウォルナット、バスウッド、アッシュ、エボニー、セン、アルダー、ブビンガもしくはオバンコールのいずれかである。
【００１５】
スピーカーユニットの駆動の反作用により、スピーカーキャビネットを構成する表板、右側板および左側板が振動し、音が放射される。板厚の薄い楽器用木質材料の板材から構成される右側板および左側板は、表板から伝わった振動により振動し、スピーカー全体の再生音質に好ましい影響を与える。すなわち、板厚の厚い表板については、繊維板もしくはパーティクルボードに固有の音を放射させずにスピーカーユニットを強固に固定することができる一方で、板厚の厚い表板に比べて振動しやすい右側板および左側板は、楽器用木質材料に特有の音色を放射させることができる。また、スピーカーユニットが取り付けられる表板は、振動する面積が少ないのに比べて、右側板および左側板は、スピーカーキャビネットの設計により大きな振動面積を確保できる。その結果、スピーカーキャビネット全体として、スピーカーキャビネットからの放射音の音圧レベルをさらに高めることができる。
【００１６】
ここで、板厚の薄い楽器用木質材料の板材から構成される右側板および左側板から放射される音は、表板に取り付けられたスピーカーユニットから正面方向に放射される音に対して、左右方向へ放射される。すなわち、スピーカーの正面に位置する聴取者には、スピーカーキャビネットから放射される音は、スピーカーユニットからの直接音に対して、左右方向からの間接音として到来する。したがって、本発明のスピーカーキャビネットを備えるスピーカーの右側板および左側板からの放射音は、楽器用木質材料に特有の音色を備えることに加え、両耳聴の聴取者にとって広がり感や響き感を強調し、スピーカー全体の再生音質にさらに好ましい影響を与えることができる。
【００１７】
好ましくは、スピーカーキャビネットの左側板を構成する板材は、楽器用木質材料のいずれかから選択された右側板の板材と、異なる楽器用木質材料から選択される。例えば、右側板の板材が比較的軟らかいマホガニーであるならば、左側板を構成する板材に比較的固いローズウッドを選択する。このように、固さや物性値（例えば、密度、曲げ強度、内部損失、等）が異なる種類の違う楽器用木質材料を選択することで、楽器用木質材料に特有の音色を生かして組み合わせたスピーカーキャビネットおよびこれらを用いた全体としてまとまった音質を備えるスピーカーが実現される。加えて、左右方向からの間接音が異なることになるので、両耳聴の聴取者にとっては両耳間の相関が更に下がるので、広がり感や響き感がより強調される。
【００１８】
さらに、スピーカーキャビネットの右側板の板材と左側板とを異なる楽器用木質材料から選択した場合には、スピーカーユニットを表板のスピーカーユニット取付部に取り付けたスピーカーは、いわば左右非対称の構成をとることになる。したがって、好ましくは、本発明のスピーカーを複数で組にしたスピーカーシステムは、第１スピーカーと、第２スピーカーと、を少なくとも含み、第１スピーカーの右側板を構成する板材が、第２スピーカーの前記左側板の板材と等しく、第１スピーカーの左側板を構成する板材が、第２スピーカーの前記右側板の板材と等しくなるように選択される。
【００１９】
例えば、左右２本一組で構成されるステレオ音声信号再生用スピーカーシステムの場合、聴取者の右前方に第１スピーカーが、そして聴取者の左前方に第２スピーカーが配置され、かつ、第１スピーカーの右側板および第２スピーカーの左側板がマホガニーであるならば、第１スピーカーの左側板および第２スピーカーの右側板にはマホガニーとは異なる板材（例えばローズウッド）が選択される。このようにすることで、本発明のスピーカーシステムは、ステレオ音声信号再生やマルチチャンネル音声信号再生の場合に、スピーカーシステム全体としての広がり感や響き感を左右対称にでき、スピーカーシステムの内側（第１スピーカーと第２スピーカーの間）とスピーカーシステムの外側とで異なる広がり感や響き感を実現できることから、さらに好ましい音場再生が可能になる。また、左右のスピーカー配置を入れ替えることで、広がり感や響き感が異なる音場再生も可能になる。
【発明の効果】
【００２０】
本発明のスピーカーキャビネット並びにこれらのスピーカーキャビネットを用いたスピーカーは、スピーカーキャビネットからの放射音の音圧レベルをさらに高め、楽器用木質材料の板材の特質を引き出したうえで全体としてまとまった音質を再生することができる。さらに、本発明の複数のスピーカーから構成されるスピーカーシステムは、好ましい音声・音場再生が可能になる。
【発明を実施するための最良の形態】
【００２１】
本発明のスピーカーキャビネット並びにこれらのスピーカーキャビネットを用いたスピーカーは、好ましい音声・音場再生を可能とするという目的を、スピーカーキャビネットが、スピーカーユニット取付部を備える表板と、表板に向かって右側面方向の右側板と、表板に向かって左側面方向の左側板と、を備えるスピーカーキャビネットであって、表板が、繊維板もしくはパーティクルボードの板材から構成され、右側板および左側板が、表板よりも板厚の薄い楽器用木質材料の板材から構成されるようにすることにより、実現した。
【００２２】
以下、本発明の好ましい実施形態によるスピーカーキャビネット並びにこれらのスピーカーキャビネットを用いたスピーカーおよびスピーカーシステムについて説明するが、本発明はこれらの実施形態には限定されない。
【実施例１】
【００２３】
図１は、本発明の好ましい実施形態によるスピーカーキャビネット１０について説明する図であり、図１（ａ）は正面図、図１（ｂ）はＳｅｃ．Ａ−Ａ’の断面図、図１（ｃ）はＳｅｃ．Ｂ−Ｂ’の断面図である。本発明のスピーカーキャビネット１０は、スピーカーユニット取付孔１１ａおよび１１ｂを備える表板１１と、表板に向かって右側面方向の右側板１２と、表板に向かって左側面方向の左側板１３と、裏板１４と、天板１５と、底板１６と、を備える。
【００２４】
スピーカーキャビネット１０の表板１１のスピーカーユニット取付孔１１ａには高音域再生用のツィーター（図示しない）が、スピーカーユニット取付孔１１ｂには低音域再生用のウーファー（図示しない）が、それぞれ取り付けられ、スピーカー１（図示しない）を構成する。スピーカーユニットの表板１１への固定には、比較的長い木ねじやボルト／ナット等の固定手段が用いられ、スピーカーユニット取付孔１１ａおよび１１ｂの周囲には、それぞれ４カ所の木ねじの下穴が設けられる。なお、表板１１には少なくとも一つのスピーカーユニットが取り付けられればよく、取り付けられるスピーカーの個数および種類に限定されない。
【００２５】
代表的には、スピーカーキャビネット１０は直方体状であり、本実施例では、外形寸法が、幅１２０ｍｍ、高さ２００ｍｍ、奥行き１５０ｍｍの直方体である。スピーカーキャビネット１０の表板１１、裏板１４、天板１５および底板１６は、ＭＤＦの板材であり、表板１１の板厚は２０ｍｍ、裏板１４、天板１５および底板１６の板厚は１５ｍｍである。一方、右側板１２および左側板１３は、表板１１、裏板１４、天板１５および底板１６よりも板厚の薄い楽器用木質材料の板材であって、ここでは、右側板１２は板厚５ｍｍのマホガニーの板材、左側板１３は板厚５ｍｍのローズウッドの板材である。なお、ＭＤＦ、マホガニーおよびローズウッドの物性値は、次の通りである。
【００２６】
ＭＤＦ        密度：０．４５ｋｇ／ｍ３、曲げ強度：  ３００ｋｇ／ｃｍ２ 
マホガニー    密度：０．６６ｋｇ／ｍ３、曲げ強度：  ９００ｋｇ／ｃｍ２ 
ローズウッド  密度：０．８０ｋｇ／ｍ３、曲げ強度：１３００ｋｇ／ｃｍ２
【００２７】
楽器用木質材料であるマホガニーおよびローズウッドは、ＭＤＦよりも密度が高く、曲げ強度が大きく、さらに、マホガニーの方がローズウッドよりも密度が低く、曲げ強度も小さくて比較的軟らかい。また、スピーカーキャビネット１０に用いられるＭＤＦは１５ｍｍ以上の板厚であるのに対して、マホガニーの右側板１２およびローズウッドの左側板１３は、ともに板厚５ｍｍである。したがって、スピーカーユニットの駆動の反作用で生じる振動に起因する放射音は、ＭＤＦの表板１１、裏板１４、天板１５および底板１６では小さく、マホガニーの右側板１２およびローズウッドの左側板１３では、比較的に大きくなる。
【００２８】
図２は、スピーカーキャビネット１０の振動放射音について説明する図である。スピーカーユニットの代わりに音を放射せず振動のみを生じる加振器をＭＤＦの表板１１に取り付けて、図２（ａ）はマホガニーの右側板１２の近傍で、図２（ｂ）はローズウッドの左側板１３の近傍で、放射音圧を測定した結果である。なお、図２（ｃ）は比較例としてスピーカーキャビネットの右側板１２および左側板１３を、ＭＤＦの板厚９ｍｍの板材に換えた場合の近傍放射音圧を測定した結果である。このように、比較例の板厚の厚いＭＤＦの場合に対して、本発明の薄い板厚のマホガニーの場合およびローズウッドの場合の方が共に音圧が高くすることができる。加えて、マホガニー、ローズウッドは物性値の違いにより周波数特性が相互に異なることから、本発明のスピーカーキャビネット１０では、良く響く楽器用木質材料の板材の特質を引き出した音声・音場再生が可能になる。
【００２９】
図３は、本発明のスピーカーキャビネット１０にスピーカーユニットを取り付けたスピーカー１を、左右２本一組で構成したステレオ音声信号再生用スピーカーシステム１００について説明する図である。スピーカーシステム１００は、聴取者３の右前方に配置される第１スピーカー１Ｒと、聴取者の左前方に配置される第２スピーカー１Ｌとから構成され、第１スピーカー１Ｒにはステレオ信号の右チャンネル信号が、第２スピーカー１Ｌにはステレオ信号の左チャンネル信号が供給される。
【００３０】
ここで、第１スピーカー１Ｒと第２スピーカー１Ｌには、同一のスピーカー１を使用してもよいが、スピーカーキャビネット１０の右側板１２の板材と左側板１３とを異なる楽器用木質材料から選択した場合には、スピーカーユニットを表板１１のスピーカーユニット取付孔１１ａおよび１１ｂに取り付けたスピーカー１は、いわば左右非対称の構成をとることになる。したがって、例えば、第１スピーカー１Ｒの右側板１２がマホガニーであるならば、第２スピーカー１Ｌの左側板１３は、同じくマホガニーとすることが好ましい。また、第１スピーカー１Ｒの左側板１３がローズウッドである場合には、第２スピーカー１Ｌの右側板１２は、同じくローズウッドとすることが好ましい。スピーカーシステム１００は、ステレオ音声信号再生の場合に、スピーカーシステム全体としての広がり感や響き感を左右対称にできる。また、左右のスピーカー配置を入れ替えることで、広がり感や響き感が異なる音場再生も可能になる。
【００３１】
これらスピーカーキャビネット１０の右側板１２の板材と左側板１３は、表板１１よりも板厚の薄い楽器用木質材料の板材から構成されればよく、マホガニー、ローズウッドに限定されない。代表的には、他の楽器用木質材料のスプルース、シトカスプルース、イングルマンスプルース、シダー、エゾマツ、ローズウッド、インディアンローズウッド、ブラジリアンローズウッド、ホンジュラスローズウッド、マダガスカルローズウッド、ココボロ、ニューハカランダ、マホガニー、サペリ、ホンジュラスマホガニー、コア、メイプル、ウォルナット、バスウッド、アッシュ、エボニー、セン、アルダー、ブビンガもしくはオバンコールのいずれかであればよい。より好ましくは、例えば、マホガニーとローズウッド、マホガニーとメイプルといった組合せや、ギター、バイオリンまたはピアノといった共鳴部を備える楽器に使用される楽器用木質材料の組合せとすることにより、さらに好ましい音場再生が可能になる。また、楽器用木質材料の板材の薄さは、表板１１、裏板１４、天板１５および底板１６のいずれかよりも薄ければよく、好ましくは、表板の半分以下の薄さであればよい。
【００３２】
また、右側板１２の板材と左側板１３の板材とは、異なる楽器用木質材料から選択することが望ましいが、同じ楽器用木質材料を選択してもよい。同じ楽器用木質材料を選択した場合であっても、板厚や補強材料により強度が異なる結果、振動放射音の特性が大きく異なるものであってもよい。また、表板１１は、スピーカーユニットが取り付けられる部分がＭＤＦの板材であればよく、他の楽器用木質材料を併用してもよい。裏板１４、天板１５および底板１６についても、ＭＤＦ等の繊維板に限らず、パーティクルボードや、他の楽器用木質材料であってもよい。
【実施例２】
【００３３】
図４は、本発明のスピーカーキャビネット２０にスピーカーユニットを取り付けたスピーカー２を、５本一組で構成したマルチチャンネル音声信号再生用スピーカーシステム２００について説明する図である。スピーカーシステム２００は、聴取者３の正面前方に配置される中央スピーカー２Ｃと、聴取者３の右前方に配置される右スピーカー２Ｒと、聴取者の左前方に配置される左スピーカー２Ｌと、聴取者３の右後方（もしくは右側方）に配置される右サラウンドスピーカー２ＲＳと、聴取者の左後方（もしくは左側方）に配置される左サラウンドスピーカー２ＬＳと、から構成され、中央スピーカー２Ｃにはセンターチャンネル信号が、右スピーカー２Ｒには右チャンネル信号が、左スピーカー２Ｌには左チャンネル信号が、右サラウンドスピーカー２ＲＳには右サラウンドチャンネル信号が、左サラウンドスピーカー２ＬＳには左サラウンドチャンネル信号が、供給される。５本のそれぞれのスピーカー２は、表板よりも板厚の薄い楽器用木質材料の板材から構成された右側板および左側板を備えるスピーカーキャビネットからなるので、より好ましいサラウンド音場再生が可能になる。
【００３４】
ここで、より好ましくは、聴取者３に左右対称なサラウンド音場を再生するために、スピーカーシステム２００は、全体として聴取者３に対して左右対称の構成となることが望ましい。したがって、例えば、右スピーカー２Ｒの右側板がマホガニーであるならば、左スピーカー２Ｌの左側板は、同じくマホガニーとすることが好ましい。また、右スピーカー２Ｒの左側板がローズウッドである場合には、左スピーカー２Ｌの右側板は、同じくローズウッドとすることが好ましい。また、センタースピーカー２Ｃについては、右側板及び左側板をともにローズウッドにすることが好ましい。さらに、同様に、右サラウンドスピーカー２ＲＳの右側板がローズウッドであるならば、左サラウンドスピーカー２ＬＳの左側板は、同じくローズウッドとすることが好ましく、そして、右サラウンドスピーカー２ＲＳの左側板がマホガニーである場合には、左サラウンドスピーカー２ＬＳの右側板は、同じくマホガニーとすることが好ましい。スピーカーシステム２００は、マルチチャンネル音声信号再生の場合に、スピーカーシステム２００全体としての広がり感や響き感を左右対称にできる。
【００３５】
スピーカーシステム２００のそれぞれのスピーカーキャビネットの右側板の板材と左側板の板材の組合せは、上記実施例に限られない。右側板の板材と左側板の板材が同一の楽器用木質材料であってもよい。特に、聴取者３の正面に配置されるセンタースピーカー２Ｃは、右側板の板材と左側板の板材が同一であるのが好ましい。また、右側板の板材と左側板の板材は、板厚の薄い楽器用木質材料の板材から構成されればよく、マホガニー、ローズウッドに限定されない。代表的には、他の楽器用木質材料のスプルース、シトカスプルース、イングルマンスプルース、シダー、エゾマツ、ローズウッド、インディアンローズウッド、ブラジリアンローズウッド、ホンジュラスローズウッド、マダガスカルローズウッド、ココボロ、ニューハカランダ、マホガニー、サペリ、ホンジュラスマホガニー、コア、メイプル、ウォルナット、バスウッド、アッシュ、エボニー、セン、アルダー、ブビンガもしくはオバンコールのいずれかであればよい。
【産業上の利用可能性】
【００３６】
本発明のスピーカーキャビネット並びにこれらのスピーカーキャビネットを用いたスピーカーおよびスピーカーシステムは、家庭用のステレオ再生、もしくはマルチチャンネルサラウンド再生に限られず、車載用のオーディオ機器や、映画館等の音響再生設備にも適用が可能である。
【図面の簡単な説明】
【００３７】
【図１】本発明の好ましい実施形態によるスピーカーキャビネットについて説明する図である。（実施例１）
【図２】本発明の好ましい実施形態によるスピーカーキャビネットの振動放射音について説明する図である。（実施例１）
【図３】本発明の好ましい実施形態によるスピーカーシステムについて説明する図である。（実施例１）
【図４】本発明の他の好ましい実施形態によるスピーカーシステムについて説明する図である。（実施例２）
【符号の説明】
【００３８】
１            スピーカー
２            スピーカー
３            聴取者
１０          スピーカーキャビネット
１１          表板
１２          右側板
１３          左側板
１４          裏板
１５          天板
１６          底板
２０          スピーカーキャビネット
１００        スピーカーシステム
２００        スピーカーシステム
【図１】
2006174312.tif 000003
【図２】
2006174312.tif 000004
【図３】
2006174312.tif 000005
【図４】
2006174312.tif 000006